(57)【要約】      （修正有）【課題】排便をよく観察することができる排便回視検査用受紙を提供する。【解決手段】概ね楕円形をした紙を便器に貯留されている水面に浮かべて使用する。排便時に、便は、その上に落とすことが出来る。紙には３〜４分間は沈まない適当の浮力と、水に溶けて流れやすい性状を持たせる、これに依り排便を観察することができる。【選択図】図９
0003101536.tif 000002
【実用新案登録請求の範囲】
【請求項１】
本考案は各人の健康上の理由から各自、自分の便通、特に糞便の状態を注意深く、観察する為に考案されたもので、即ち、「図１平面図」に示すような一枚の紙から成り現在一般家庭で使用されている、陶器製の便器の設定された水位のその水面を覆うように浮かび、その上面に排便を３〜４分程度は支持する浮力を持つものである
【請求項２】
また本考案による（請求項１）に述べた性能を有する紙であるが、その柔軟性、水に対する可溶性について、現今、一般家庭にて通常使用されているトイレットペーパーと同様に排便と共に水で便器と連結した下水道に容易に流すことができる
【請求項３】
本考案について、「図４平面図２」「図５側面図２」に示すように実際にこの考案した紙を使用する時、取り扱いが便利なように突起した部分を、２〜４カ所、本体と一体に形成すること、又は別の紙で作ったものを貼付することができる
【請求項４】
本考案による紙についてその色は「白」「淡いピンク」「淡黄色」「淡い空色］とし主目的である排便の目視による検査を妨げないようにする
【請求項５】
本考案による紙には消臭のため、及び更に気分を快適にするような芳香を持たせる
【考案の詳細な説明】
【技術分野】
【０００１】  本考案は我々の保健衛生に関わる排便用便器の使用上の付属物についてである。
【背景技術】
【０００２】  我々の排便したものについては、現代の医学では便の検査と言うと、専ら寄生虫や病原菌、潜血の有無、等の検査になるが、それ以外でも排便の量、固さ、色調、血液の付着程度、付着位置などから保健衛生上の種々の情報を得ることができる。【０００３】  また、このように排便の外観を観察して、健康状態を把握することは古くから行なわれていたが、その方法も砂を入れた箱に排便しそれを典医が診る言うもので、極く上流の貴人に限られていた。しかし現在は、浄化槽、下水道、及び水洗の陶器製便器の普及によりある程度は排便の状態を観察することができる。
【考案の開示】
【考案が解決しようとする課題】
【０００４】  現在、一般に使用されている便器には、洋式、と和式、とがある。既に衆知のように洋式のものは便器に椅子にかけるように座るものである、課題はより多くこの洋式の方にあり、またこの形式のものの需要が増加している。課題と言うのは洋式においては椅子状にするため、便器の構造上、便器内において排便を受け、次の動作で流出させるまで溜めておく凹所が狹隘である、これは又、最近叫ばれている節水の問題、マンション等での、トイレ使用時の騒音の問題もあり、流出させる水量を減らすため、皿状の凹所が小さいと言うことである、その結果、排便は便器の端部にある下水に連結するより深い狭隘な部分に落下し、目視観察することが困難である。和式においてはこのような問題は、殆ど無いが稀には端部の配管部に、排便が陥没することがある。
【課題を解決するための手段】
【０００５】  洋式、和式を問わず、その便器内に、通常に貯留された水面の形状に合致し、この水面を、殆ど覆うようにして浮かび、排便をその上面に受けて、２〜３分間は沈まず、
また、破断もしない程度の浮力と、強度と、形状を持つ紙（排便目視検査用受紙）を製作し、排便時これを便器の水面にその形状に合わせて浮かべる。【０００６】  この紙は、又、３〜４分後、排便を下水に流す時には、通常のトイレットペーパーと同様に何らの支障も無く流れるよう柔軟で水に可溶性の物である。
【考案の効果】
【０００７】  本考案による紙（排便目視検査用受紙）を使用することにより排便の消失を防止することができる。また、排便が便器内の貯水中にある状態よりより明瞭、正確に観察することが可能である。その結果、保健衛生上の諸兆候を見出すことができる。【０００８】  本校案による紙（排便目視検査用受紙）は使用後、通常のトイレット使用時と同様に下水に流すことができると言う利点もある。
【図面の簡単な説明】
【０００９】
【図１】本考案である（排便目視検査用受紙）の平面図
【図２】本考案である（排便目視検査用受紙）の正面図
【図３】本考案である（排便目視検査用受紙）の側面図
【図４】本考案である（排便目視検査用受紙）で取扱用の突起のあるもの  平面図
【図５】本考案である（排便目視検査用受紙）で取扱用の突起のあるもの  正面図
【図６】本考案である（排便目視検査用受紙》で取扱用の突起のあるもの  側面図
【図７】本考案である（排便目視検査用受紙）を適用する便器の平面図（説明図）
【図８】本考案である（排便目視検査用受紙）を便器に適用した平面図（説明図）
【図９】本考案である（排便目視検査用受紙）で（図４）に示した突起のあるものを便器に適用した平面図（説明図）
【符号の説明】
【００１０】  １  便器本体
２  便器内に貯留している水の吃水線
３  便器内の深奥部（便器が下水道管と接続する部分）
４  便器内に適用された排便目視検査用受紙
５  便器内に適用された排便目視検査用受紙（突起のあるもの）
【図１】
0003101536.tif 000003
【図２】
0003101536.tif 000004
【図３】
0003101536.tif 000005
【図４】
0003101536.tif 000006
【図５】
0003101536.tif 000007
【図６】
0003101536.tif 000008
【図７】
0003101536.tif 000009
【図８】
0003101536.tif 000010
【図９】
0003101536.tif 000011
【手続補正書】
【提出日】平成16年1月5日(2004.1.5)
【手続補正１】
【補正対象書類名】実用新案登録請求の範囲
【補正対象項目名】全文
【補正方法】変更
【補正の内容】
【実用新案登録請求の範囲】
【請求項１】
便器の設定された水位のその水面の形状に合致した形状を有し、前記水面を覆うようにして浮かび、排便をその上面に受けた場合に支持する浮力を有することを特徴とする排便目視検査用受紙。
【請求項２】
請求項１に記載の排便目視検査用受紙において、前記便器と連結した下水道に排便と共に水で流すことを可能にするために、水に対して可溶性を有する紙で構成されていることを特徴とする排便目視検査用受紙。
【請求項３】
請求項１または２に記載の排便目視検査用受紙において、取り扱い用の突起部を備えることを特徴とする排便目視検査用受紙。
【請求項４】
請求項３に記載の排便目視検査用受紙において、前記突起部は、本体と一体に形成されていることを特徴とする排便目視検査用受紙。
【請求項５】
請求項３に記載の排便目視検査用受紙において、前記突起部は、本体とは別の紙で形成され、本体に貼付されていることを特徴とする排便目視検査用受紙。
【請求項６】
請求項３ないし５のいずれか１項に記載の排便目視検査用受紙において、前記突起部は、本体の縁に備えられていることを特徴とする排便目視検査用受紙。
【請求項７】
請求項３ないし６のいずれか１項に記載の排便目視検査用受紙において、前記突起部は、本体の２〜４カ所に備えられていることを特徴とする排便目視検査用受紙。
【請求項８】
請求項１ないし７のいずれか１項に記載の排便目視検査用受紙において、前記浮力は、前記上面に排便を受けた状態で２〜３分は沈まない浮力であることを特徴とする排便目視検査用受紙。
【請求項９】
請求項１ないし８のいずれか１項に記載の排便目視検査用受紙において、前記上面に排便を受けた状態で２〜３分は破断しない強度を有することを特徴とする排便目視検査用受紙。
【請求項１０】
請求項１ないし９のいずれか１項に記載の排便目視検査用受紙において、排便の目視による検査を妨げないために、その色が、白、淡いピンク、淡黄色、淡い空色のうちのいずれかであることを特徴とする排便目視検査用受紙。
【請求項１１】
請求項１ないし１０のいずれか１項に記載の排便目視検査用受紙において、消臭または気分を快適にするために、芳香が付加されていることを特徴とする排便目視検査用受紙。
【手続補正２】
【補正対象書類名】明細書
【補正対象項目名】全文
【補正方法】変更
【補正の内容】
【考案の詳細な説明】
【技術分野】
【０００１】
本考案は、我々の保健衛生に関わる排便用便器に使用上付属させて用いる物に関し、特に、排便の目視による検査のために用いる物に関する。
【背景技術】
【０００２】
現代の医学では、我々の排泄した便の検査というと、専ら寄生虫や病原菌、潜血の有無等の検査になるが、それ以外でも排便の量、固さ、色調、血液の付着程度、付着位置などから保健衛生上の種々の情報を得ることができる。
【０００３】
このように排便の外観を観察して、健康状態を把握することは古くから行われていたが、その方法は砂を入れた箱に排便しそれを典医が診るというもので、極く上級の貴人に限られていた。しかし現在は、浄化槽、下水道、及び水洗の陶器製便器の普及によりある程度は排便の状態を観察することができる。
【考案の開示】
【考案が解決しようとする課題】
【０００４】
現在、一般に使用されている便器には、洋式と和式とがある。既に周知のように洋式のものは便器に椅子にかけるように座るものである。課題のより多くはこの洋式の方にあり、またこの形式のものの需要が増加している。課題というのは、洋式においては椅子状にする便器の構造上、便器内おいて排便を受け、次の動作で流出させるまで溜めておく凹所が狭隘であるということである。これは又、最近叫ばれている節水の問題、マンション等での、トイレ使用時の騒音の問題もあり、流出させる水量を減らすため、皿状の凹所が小さいということである。その結果、図７に示すように、排便は、便器１の端部にある下水に連結する、より深い狭隘な部分３に落下し、目視観察することが困難である。和式においてはこの様な問題はほとんどないが、稀には端部の配管部に、排便が陥没することがある。
【課題を解決するための手段】
【０００５】
上記課題を解決するために、本考案では、便器の設定された水位のその水面の形状に合致した形状を有し、前記水面を覆うようにして浮かび、排便をその上面に受けた場合に支持する浮力を有する排便目視検査用受紙を提供する。
【考案を実施するための最良の形態】
【０００６】
本考案による排便目視検査用受紙は、洋式和式を問わず、その便器内に、通常に貯留された水面の形状に合致する形状を有し、この水面をほとんど覆うようにして浮かび、その上面に排便を受けて、２〜３分間は沈まず、また破断もしない程度の浮力と強度を持つように製作される。この排便目視検査用受紙は、排便時にこれを便器の水面にその形状に合わせて浮かべて使用される。
【０００７】
また、排便目視検査用受紙は、３〜４分後、排便を下水に流す時には、通常のトイレットペーパーと同様に何らの支障もなく流れるよう柔軟で水に可溶性のものによって形成されている。
【０００８】
本考案による排便目視検査用受紙を使用することにより、排便の消失を防止することができる。また、排便が便器内の貯水中にある状態より明瞭、正確に観察することが可能である。その結果、保健衛生上の諸兆候を見いだすことができる。
【０００９】
本考案による排便目視検査用受紙は、使用後、通常のトイレット使用時と同様に下水に流すことができるという利点もある。
【００１０】
以下、図面を用いて具体的に説明する。
本考案の排便目視検査用受紙は、各人の健康上の理由から、各自自分の便通、特に糞便の状態を注意深く、観察する為に考案されたものである。即ち図１の平面図、図２の正面図、図３の側面図に示すように、一枚の紙からなり、現在一般家庭で使用されている、陶器製の便器１（図７）の設定された水位（吃水線２）のその水面を覆うように浮かび（図８参照）、その上面に排便を３〜４分程度は支持する浮力を持つものである。
【００１１】
また、本考案による排便目視検査用受紙は、上述の性能を有する紙であるが、その柔軟性、水に対する可溶性については、現今、一般家庭にて通常使用されているトイレットペーパーと同様とし、排便と共に水で便器と連結した下水道に容易に流すことができる。
【００１２】
また、図４の平面図、図５の正面図、図６の側面図ならびに図９の適用例に示されるように、実際にこの排便目視検査用受紙を使用する時に、取り扱いが便利なように、突起した部分を２〜４カ所、本体と一体に形成すること、又は別の紙で作ったものを添付することができる。
【００１３】
本考案による排便目視検査用受紙は、その色を「白」「淡いピンク」「淡黄色」もしくは「淡い空色」として主目的である排便の目視による検査を妨げないようにする。
【００１４】
本考案による排便目視検査用受紙には消臭のため、及びさらに気分を快適にするような芳香を持たせる。
【図面の簡単な説明】
【００１５】
【図１】本考案である排便目視検査用受紙の平面図。
【図２】本考案である排便目視検査用受紙の正面図。
【図３】本考案である排便目視検査用受紙の側面図。
【図４】本考案である排便目視検査用受紙であって取扱用の突起のあるものの平面図。
【図５】本考案である排便目視検査用受紙であって取扱用の突起のあるものの正面図。
【図６】本考案である排便目視検査用受紙であって取扱用の突起のあるものの側面図。
【図７】本考案である排便目視検査用受紙を適用する便器の平面図（説明図）。
【図８】本考案である排便目視検査用受紙を便器に適用した状態を示す平面図（説明図）。
【図９】本考案である排便目視検査用受紙であって図４に示した突起のあるものを便器に適用した状態を示す平面図（説明図）。
【符号の説明】
【００１６】
１…便器本体、
２…便器内に貯留している水の吃水線、
３…便器内の深奥部（便器が下水道管と接続する部分）、
４…便器内に適用された排便目視検査用受紙、
５…便器内に適用された排便目視検査用受紙（突起のあるもの）。